(57)【要約】【課題】釘調整の作業を容易に行うことが可能な遊技機を提供する。【解決手段】本発明の遊技機では、遊技球が流下する遊技板１１の前面から突壁２４と複数の障害釘８０とが突出すると共に、それら突壁２４及び障害釘８０を挟んで遊技板１１の前面に透光板１２が対向している。そして、突壁２４のうち障害壁８０に隣接する部分と透光板１２との間隔が、３［ｍｍ］以上、５．５［ｍｍ］未満になっている。【選択図】図４
2019154562.tif 000002
【特許請求の範囲】
【請求項１】
遊技球が流下する遊技板の前面から突壁と複数の障害釘とが突出すると共に、それら突壁及び障害釘を挟んで前記遊技板の前面に透光板が対向する遊技機であって、前記突壁のうち前記障害壁に隣接する部分と前記透光板との間隔が、３［ｍｍ］以上、５．５［ｍｍ］未満になっている遊技機。
【発明の詳細な説明】
【技術分野】
【０００１】
本発明は、遊技板の前面を遊技球が流下する遊技機に関する。
【背景技術】
【０００２】
パチンコ遊技機に代表されるこの種の遊技機では、遊技板の前面から複数の障害釘が突出していて、それら障害釘の傾きの変更する釘調整の作業が重要であることが知られている（例えば、特許文献１参照）。
【先行技術文献】
【特許文献】
【０００３】
【特許文献１】特開２００５−１６０６３８号公報(図９，１１，段落［０００９］，［００１１］）
【発明の概要】
【発明が解決しようとする課題】
【０００４】
従来の遊技機に対し、障調整の作業が容易な遊技機の開発が求められている。
【０００５】
本発明は、上記事情に鑑みてなされたもので、釘調整の作業を容易に行うことが可能な遊技機の提供を目的とする。
【課題を解決するための手段】
【０００６】
上記目的を達成するためになされた請求項１の発明は、遊技球が流下する遊技板の前面から突壁と複数の障害釘とが突出すると共に、それら突壁及び障害釘を挟んで前記遊技板の前面に透光板が対向する遊技機であって、前記突壁のうち前記障害壁に隣接する部分と前記透光板との間隔が、３［ｍｍ］以上、５．５［ｍｍ］未満になっている遊技機である。
【図面の簡単な説明】
【０００７】
【図１】本発明の一実施形態に係る遊技機の正面図
【図２】遊技板の正面図
【図３】遊技板の一部を拡大した正面図
【図４】遊技機の側断面図
【図５】障害釘と凹部の斜視図
【図６】障害釘と凹部の斜視図
【図７】障害釘と凹部の斜視図
【発明を実施するための形態】
【０００８】
以下、本発明の第１実施形態を図１〜図４に基づいて説明する。本実施形態の遊技機１０は、図１に示された前面枠９０の後方に図２に示された遊技板１１を有する。前面枠９０の内側は窓部９１をなし、そこに張られた透光板１２（例えば、ガラス板）を通して遊技板１１を視認することができる。
【０００９】
図２に示すように遊技板１１は、略四角形をなし、例えば樹脂で構成されている（なお、遊技板１１は木製であってもよい）。遊技板１１の前面には、境界突壁１５に包囲された遊技領域Ｒ１が備えられ、その境界突壁１５の左上部には球進入口１５Ａが設けられている。そして、前述の窓部９１の下方の上皿２６（図１参照）内の遊技球が、前面枠９０の右下に備えた操作ハンドル２８（図１参照）の回動操作に応じた強度で球進入口１５Ａから遊技領域Ｒ１内に打ち込まれる。
【００１０】
図２に示すように、遊技領域Ｒ１には、遊技板１１を貫通する表示窓１３Ｗが備えられ、その表示窓１３Ｗを通して遊技板１１の後方の液晶モニタ１３の表示画面１３Ｇが視認可能になっている。また、遊技領域Ｒ１のうち表示窓１３Ｗの周りには、始動入賞口１４、大入賞口１７、普通入賞口２０等が配置されている。そして、それら始動入賞口１４、大入賞口１７、普通入賞口２０等に遊技球が入賞すると、複数個の遊技球である賞球が上皿２６に払い出される。また、遊技領域Ｒ１の最下端部には、アウト口１６が開口していて、何れの入賞口にも入賞しなかった遊技球がアウト口１６に取り込まれる。
【００１１】
始動入賞口１４及び普通入賞口２０は、遊技板１１の前面から突出する突壁１４Ｗの上面に開口を有した、所謂、ポケット構造をなし、それらの開口幅は、遊技球が１つずつ入賞可能な大きさをなしている。そして、始動入賞口１４は、表示窓１３Ｗの下方中央に配置され、普通入賞口２０は始動入賞口１４の左側方に配置されている。また、大入賞口１７は、一度に複数個の遊技球が入賞可能な開口幅を有するポケット構造をなし、始動入賞口１４の右側方に配置されている。また、大入賞口１７は、通常は、図示しない蓋体によって閉塞されている。そして、始動入賞口１４への遊技球の入賞に起因して行われる当否判定で当りになると、大入賞口１７が複数回に亘って開放する大当り遊技が実行される。このため、多くの遊技者は始動入賞口１４への遊技球の入賞を願いながら遊技が行う。
【００１２】
表示窓１３Ｗの上辺と左右の両辺には、遊技板１１の前面から突出する突壁２４が備えられて、表示窓１３Ｗ内への遊技球の進入を規制している。また、表示窓１３Ｗの内側面の下辺部分はステージ２４Ｓになっている。ステージ２４Ｓは、左右方向の中央に向かって緩やかに下っている。また、ステージ２４Ｓの前縁部からは転落防止壁２５が起立している。さらに、ステージ２４Ｓの最下部の前方部分には、転落防止壁２５を切り欠いてなる排出部２５Ａが備えられている。
【００１３】
表示窓１３Ｗの左辺部分の突壁２４の下端部には、ワープ樋２７が備えられている。ワープ樋２７の上端には、斜め左上方に向かって開口する導入口２７Ａが備えられ、そこに入球した遊技球が、ステージ２４Ｓの左端部に排出される。即ち、遊技球がワープ樋２７の導入口２７Ａに入球することで始動入賞口１４に入賞し易くなる。
【００１４】
遊技領域Ｒ１には、複数の障害釘８０が分散して配置されている。図４に示すように、障害釘８０は、断面円形の棒状の釘本体８０Ｈの先端部にヘッド部８０Ｃを有した構造をなしている。ヘッド部８０Ｃは、釘本体８０Ｈ側が平端面８０Ｂをなす一方、その反対側がドーム状の膨出面８０Ａになっている。そして、ヘッド部８０Ｃと反対側の端部が、遊技板１１に穿孔された貫通孔１１Ａに圧入されて、障害釘８０が遊技板１１の前面から突出している。また、障害釘８０は、金属製であって、遊技球の衝突を受けて弾性変形し、遊技球を跳ね返す。そして、障害釘８０を一定以上の変形量になるように側方から押圧又は殴打することで、障害釘８０を塑性変形させて遊技板１１に対する傾斜角や傾斜方向を変更する釘調整を行うことができる。
【００１５】
障害釘８０の膨出面８０Ａの頂点部は、透光板１２に対して僅かに隙間を空けた状態に突き合わされている。また、始動入賞口１４の突壁１４Ｗや表示窓１３Ｗの突壁２４等のように、障害釘８０と同様に遊技球の流下方向や領域を規制する突壁と透光板１２との間の隙間も、障害釘８０と透光板１２との間の隙間と同程度になっている。なお、境界突壁１５の先端には図示しないエラストマー製の溝部材が嵌合されて透光板１２に密着し、ワイヤー等を遊技領域Ｒ１内に挿入する不正行為が防がれている。
【００１６】
図１に示すように、複数の障害釘８０には、始動入賞口１４、普通入賞口２０等の僅かに上方に位置して、遊技球１つ分の間隔を空けて横並びに配置される、所謂、命釘になっているものや、一列に隣接して並べられ、遊技球を誘導する釘列になっているものが含まれている。また、境界突壁１５や突壁２４の近傍に位置してそれら境界突壁１５等と協働して遊技球の流下方向を規制する障害釘８０もある。
【００１７】
ところで、障害釘８０は突壁２４等に隣接していると、釘調整の作業が困難になり得る。具体的には、障害釘８０が突壁２４等に隣接していると、釘調整に使用されるハンマーや先端が二股になった専用ピンを障害釘８０に当接させることできないか、当接角が障害釘８０の軸方向に対して小さくなって作業が困難になり得る。
【００１８】
これに対して、本実施形態の遊技機１０では、複数の障害釘８０のうち、例えば、ワープ樋２７への入賞に比較的大きな影響を与えると思われかつ突壁２４又は境界突壁１５に隣接する第１〜第３の障害釘８１，８２，８３の釘調整を容易に行えるようにするために、突壁２４又は境界突壁１５に第１〜第３の凹部３１，３２，３３が形成されている。
【００１９】
具体的には、図３に示すように、突壁２４のうちワープ樋２７の上方に位置する部分はリブ構造をなし、その突壁２４の下部は左側方に向かって山形状に張り出す屈曲部２４Ａになっている。そして、第１の障害釘８１が、突壁２４の頂点部に隣接する位置に配置されている。また、屈曲部２４Ａの一斜辺２４Ｂは、ワープ樋２７の導入口２７Ａから斜め上方に延びると共に、その一斜辺２４Ｂに対して遊技球１つ分の間隔を空けて、斜め上下方向の延びる釘列８５が下方から対向している。なお、その釘列８５は、歯抜け状態になっている。そして、第２の障害釘８２が、釘列８５の上端部でかつ境界突壁１５に隣接する位置に配置されている。また、第１及び第２の障害釘８１，８２より上側では、突壁２４と境界突壁１５との間の帯状の流下領域を幅方向で２等分するように釘列８４が並んでいる。その釘列８４は、歯抜け状態になっていて、その途中部分を構成するように第３の障害釘８３が３つ隣接して一列に並んでいる。
【００２０】
第１の凹部３１は、第１の障害釘８１に隣接する屈曲部２４Ａの頂点部において突壁２４の先端面の一部を切り欠いて形成されている。また、第２の凹部３２は、第２の障害釘８２に隣接する境界突壁１５の先端面の一部を切り欠いて形成されている。さらに、第３の凹部３３は、突壁２４のうち３つの第３の障害釘８３に対向する部分において、突壁２４の先端面の一部を切り欠いて形成されている。また、前述した境界突壁１５のエラストマー製の溝部材は、第２の凹部３２において分断されている。なお、球進入口１５Ａへの遊技球を案内すると突壁１５Ｂにエラストマー製の溝部材を装着して、前記分断部分に側方から対向させてもよい。
【００２１】
詳細には、遊技球の直径は１１［ｍｍ］、透光板１２と遊技板１１との間の距離は１９．２［ｍｍ］、遊技板１１の前面から障害釘８０の頂点までの距離は１８［ｍｍ］になっている。また、遊技板１１からの釘本体８０Ｈの突出量は１７［ｍｍ］、ヘッド部８０Ｃの高さは１［ｍｍ］、釘本体８０Ｈの直径は１．８５［ｍｍ］、ヘッド部８０Ｃの直径は４．３４［ｍｍ］になっている。また、釘調整作業は、主としてヘッド部８０Ｃをハンマーやピンで殴打することで行うので、ヘッド部８０Ｃの周りに１［ｍｍ］以上の空間があることが好ましい作業者の意見が多い。また、障害釘８０を突壁２４側に倒したときにヘッド部８０Ｃが突壁２４等に干渉しないことが好ましい。さらに、遊技球が凹部の縁部に接触しないようにすることが好ましい。これらを勘案して、第１〜第３の凹部３１〜３３は、それらの底面と透光板１２との間の距離が、３［ｍｍ］以上、５．５［ｍｍ］未満になっている。
【００２２】
また、第１の凹部３１のように第１の障害釘８１が遊技球の半径未満に接近した位置に形成されている場合は、第１の凹部３１の開口幅の端部が、障害釘８０の釘本体８０Ｈから５．５［ｍｍ］以上離れていなければ、遊技球が第１の凹部３１の縁部に接触することはないが、障害釘８０の釘本体８０Ｈから５．５［ｍｍ］以上離れている場合は、透光板１２から第１の凹部３１の底面までの距離が遊技球の半径以上であると遊技球が第１の凹部３１の縁部に接触し得る。一方、前述の如く、ヘッド部８０Ｃの周りに１［ｍｍ］以上の空間があることが好ましい。これらから、釘本体８０Ｈの周囲に、釘本体８０Ｈからの距離が２．３［ｍｍ］以上、５．５［ｍｍ］未満の空間があることが好ましいと言える。これに鑑み、第１〜第３の凹部３１，３２，３３の内側面を第１〜第３の各障害釘８１，８２，８３まで延長した面と、第１〜第３の各障害釘８１，８２，８３の釘本体８０Ｈとの最短距離は、２．３［ｍｍ］以上、５．５［ｍｍ］未満になっている。
【００２３】
本実施形態の遊技機１０の構成に関する説明は以上である。この遊技機１０の構成によれば、第１〜第３の障害釘８１〜８３に隣接する突壁２４及び境界突壁１５に第１〜第３の凹部３１〜３３を備えたことで、第１〜第３の障害釘８１〜８３の釘調整の作業を容易に行うことができるようになる。具体的には、第１〜第３の凹部３１〜３３を備えたことで、釘調整用の工具を、その少なくとも一部が第１〜第３の凹部３１〜３３に受容されるように、第１〜第３の障害釘８１〜８３の軸方向に対して寝かせて使用することができる。これにより、第１〜第３の障害釘８１〜８３に力が伝わり易くなり、釘調整作業が容易になる。また、第１及び第２の障害釘８１，８２を突壁２４及び境界突壁１５側に倒して釘調整を行う場合に、第１及び第２の凹部３１，３２にヘッド部８０Ｃが受容されるまで第１及び第２の障害釘８１，８２を変形させることができ、この点においても、釘調整作業が容易になる。
【００２４】
また、第１〜第３の障害釘８１〜８３の釘調整の作業を容易に行うためには、突壁２４の全体及び境界突壁１５の全体を障害釘８０より低くする構成も考えられるが、本実施形態のように突壁２４及び境界突壁１５の一部に第１〜第３の凹部３１〜３３を形成したことで、突壁２４及び境界突壁１５の強度低下を抑えることができる。さらには、第１〜第３の凹部３１〜３３の底面と透光板１２との間の距離が遊技球の半径未満であるから境界突壁１５及び突壁２４による遊技球の案内も安定する。また、第１〜第３の凹部３１〜３３は、突壁２４及び境界突壁１５を壁厚方向に貫通しているので工具を容易に第１〜第３の障害釘８１〜８３に側方から当接させることができる。さらには、第３の凹部３３は、一列に並んだ複数の第３の障害釘８３に対応する開口幅を有するので、複数の第３の障害釘８３の釘調整を容易に行うことができる。
【００２５】
＜変形例＞
（１）上記実施形態では、ワープ樋２７への入球確率に係る第１〜第３の障害釘８１〜８３に対応して第１〜第３の凹部３１〜３３が設けられていたが、突壁に隣接する障害釘であれば、どのような役割、位置の障害釘に対して、それらの釘調整を容易に行うための凹部を設けてもよい。
【００２６】
（２）前記実施形態の第１〜第３の凹部３１〜３３の底面は、障害釘８０のヘッド部８０Ｃよりさらに遊技板１１側に位置していたが、凹部の底面がヘッド部８０Ｃの平端面８０Ｂと略面一になるような配置としてもよい。
【００２７】
（３）前記実施形態では、突壁２４及び境界突壁１５がリブ構造をなし、それら突壁２４及び境界突壁１５の壁厚方向に貫通するように第１〜第３の凹部３１〜３３が形成されていたが、図５（Ａ）及び図５（Ｂ）に示した凹部３４，３５のように、リブ構造になっていない突壁３９のうち障害釘８０に隣接する側の縁部に陥没形成された構成としても、釘調整作業の容易化が可能になる。
【００２８】
（４）前記実施形態の第１〜第３の凹部３１〜３３の底面は、遊技板１１の前面に対して平行になっていたが、図６（Ａ）及び図６（Ｂ）に示した凹部３６，３７の底面３６Ａ，３７Ａのように、障害釘８０に向かって遊技板１１側に接近するように傾斜していてもよい。
【００２９】
（５）また、図７（Ａ）〜図７（Ｃ）に示すように、突壁２４のうち障害釘８０と隣接する部分に貫通孔５０，５１やスリット５２を形成し、それら貫通孔５０，５１及びスリット５２を通して工具を障害釘８０を当接可能な構成としてもよい。
【００３０】
＜付記１＞
前記実施形態で例示した遊技機には、以下の発明群が含まれていると考えることができる。なお、以下の各発明群の末尾には、発明の構成要素に対応する実施形態上の各部位が示されている。
【００３１】
（第１の発明群）
［発明１］
遊技球が流下する遊技板の前面から突壁と複数の障害釘とが突出すると共に、それら突壁及び障害釘を挟んで前記遊技板の前面に透光板が対向する遊技機であって、前記突壁のうち前記障害釘との隣接部分を含む一部または全体の前記遊技板からの突出量が、前記障害釘の前記遊技板からの突出量より小さくなっている遊技機。
本発明によれば、釘調整の作業を容易に行うことができる。
【００３２】
[発明２］
前記突壁の先端面には、前記障害釘との隣接部分を含む一部に凹部が形成され、少なくとも前記凹部の底面が前記障害釘の先端面より前記遊技板側に位置している発明１に記載の遊技機。
本発明によれば、釘調整の作業を容易に行うことができ、突壁の強度低下が抑えられると共に、突壁にて遊技球を案内している場合にその案内が安定する。
【００３３】
[発明３］
前記突壁は、リブ構造をなし、前記凹部は、前記突壁を壁厚方向に貫通している発明２に記載の遊技機。
本発明によれば、凹部が突壁を壁厚方向に貫通しているので、工具を容易に障害釘に側方から当接させることができる。
【００３４】
[発明４］
前記凹部は、前記突壁を壁厚方向に貫通せずに、前記突壁のうち前記障害釘に隣接する側の縁部に陥没形成されている発明２に記載の遊技機。
本発明によれば、厚い突壁に隣接する障害釘の釘調整作業も容易に行うことができる。
【００３５】
[発明５］
前記凹部は、一列に並ぶ複数の前記障害釘に隣接している発明２乃至４の何れか１の発明に記載の遊技機。
本発明によれば、一列に並ぶ複数の障害釘を調整する作用も容易に行うことができる。
【００３６】
[発明６］
前記突壁は、前方から見ると山形状をなしかつその頂点部に前記障害釘が隣接しかつ前記凹部が形成されている発明２乃至５の何れか１の発明に記載の遊技機。
本発明によれば、突壁が山形状に屈曲してその頂点部に障害釘が隣接していても、釘調整の作業を容易に行うことができる。
【００３７】
[発明７］
前記凹部の底面から前記透光板までの距離は、遊技球の半径未満である発明１乃至６の何れか１の発明に記載の遊技機。
本発明によれば、突壁の強度低下が抑えられると共に、突壁で遊技球の流下規制している場合はその規制が安定する。
【００３８】
[発明８］
前記突壁と前記障害釘との隣接部分の間隔は、遊技球の半径未満である発明１乃至７の何れか１の発明に記載の遊技機。
【００３９】
[発明９］
前記突壁と前記障害釘との隣接部分の間隔は、遊技球が１球ずつ通過可能な幅をなしている発明１乃至７の何れか１の発明に記載の遊技機。
本発明によれば、釘調整を行うための工具を十分に寝かせて障害釘に側方から当接させることができる。
【００４０】
［発明１０］
前記遊技板には、表示演出を行うための表示窓が設けられ、前記突壁は、前記表示窓の開口縁に配置されている発明１乃至９の何れか１の発明に記載の遊技機。
本発明によれば、表示演出を行う表示窓の開口縁の突壁に隣接する障害釘の釘調整も容易に行うことができる。
【００４１】
［発明１１］
前記突壁は、前記遊技板の前面のうち遊技球が流下し得る遊技領域の外側の境界に位置して前記遊技領域を包囲している発明１乃至１０の何れか１の発明に記載の遊技機。
本発明によれば、遊技領域の外側の境界に隣接する障害釘の釘調整も容易に行うことができる。
【００４２】
［発明１２］
遊技球が流下する遊技板の前面から突壁と複数の障害釘とが突出すると共に、それら突壁及び障害釘を挟んで前記遊技板の前面に透光板が対向する遊技機であって、前記突壁のうち前記障害壁に隣接する部分と前記透光板との間隔が、３［ｍｍ］以上、５．５［ｍｍ］未満になっている遊技機。
一般的な遊技球の半径が５．５［ｍｍ］であることを考慮すると、本発明のように突壁のうち障害壁に隣接する部分と透光板との間隔は、３［ｍｍ］以上、５．５［ｍｍ］未満であることが好ましい。
【００４３】
［第１の発明群の発明の構成要素と実施形態上の各部位との対応関係］
遊技板：遊技板１１、  突壁：突壁１４Ｗ，２４，境界突壁１５、  透光板：透光板１２  凹部：第１〜第３の凹部３１〜３３、３４〜３６  障害釘：障害釘８０，第１〜第３の障害釘８１，８２，８３  
【符号の説明】
【００４４】
１０    遊技機
１１    遊技板
１１Ａ  貫通孔
１２    透光板
１３Ｗ  表示窓
１４Ｗ，２４    突壁
１５    境界突壁
３１    第１の凹部
３１Ａ    底面
３２    第２の凹部
３３    第３の凹部
８０    障害釘
８１    第１の障害釘
８２    第２の障害釘
８３    第３の障害釘
【図１】
2019154562.tif 000003
【図２】
2019154562.tif 000004
【図３】
2019154562.tif 000005
【図４】
2019154562.tif 000006
【図５】
2019154562.tif 000007
【図６】
2019154562.tif 000008
【図７】
2019154562.tif 000009